(57)【要約】【課題】光ダクトが結合される光ダクト用放光装置であって、コストが低く、光量を自動的に調節することができる光ダクト用放光装置を提供する。【解決手段】屋外から光を導入する光ダクト１０２から、浴室ユニット１に対して光を放光する光ダクト用放光装置おいて、放光口６の内部にスリット円板１６及び１７からなる遮光体を設ける。スリット円板１６及び１７にはそれぞれスリットが形成されている。また、スリット円板１７を回転させるためのステッピングモータ１４を設ける。ステッピングモータ１４がスリット円板１７をスリット円板１６に対して回転させることにより、遮光体の遮光率が変化する。【選択図】図２
2008084751.tif 000002
【特許請求の範囲】
【請求項１】
内面が光反射面とされ屋外から光を導入する光ダクトが結合される光ダクト用放光装置であって、
前記光ダクトを通過した光の光路に介在し、動くことにより前記光ダクトを通過した全光量に対する遮断する光量の割合が変化する遮光体と、
前記遮光体を動かす駆動手段と、
を備えたことを特徴とする光ダクト用放光装置。
【請求項２】
前記駆動手段は、前記遮光体よりも前記光ダクト側に配置された光量センサを有し、前記光量センサにより検知される光量が閾値よりも小さいときに、前記割合を第１の値とし、前記検知される光量が前記閾値よりも大きいときに、前記割合を前記第１の値よりも大きい第２の値とすることを特徴とする請求項１記載の光ダクト用放光装置。
【請求項３】
前記駆動手段は、前記遮光体よりも前記光ダクト側に配置された太陽電池を有し、前記駆動手段は前記太陽電池によって生成された電力により作動することを特徴とする請求項１または２に記載の光ダクト用放光装置。
【請求項４】
前記駆動手段は、電力が供給されていないときに、前記割合を最小値とすることを特徴とする請求項３記載の光ダクト用放光装置。
【請求項５】
前記遮光体は、
周方向に沿って断続的にスリットが形成された第１の円板と、
周方向に沿って断続的にスリットが形成され、中心軸が前記第１の円板の中心軸と一致し、前記中心軸を回転軸として回転可能に設けられた第２の円板と、
を有し、
前記駆動手段は、前記第２の円板を回転させるモータを有することを特徴とする請求項１〜４のいずれか１つに記載の光ダクト用放光装置。
【請求項６】
前記遮光体は、開閉自在な傘状の遮光体であり、前記駆動手段は、前記遮光体を開閉することを特徴とする請求項１〜４のいずれか１つに記載の光ダクト用放光装置。
【発明の詳細な説明】
【技術分野】
【０００１】
本発明は、光ダクト用放光装置に関し、特に、屋外から光を導入する光ダクトが結合される光ダクト用放光装置に関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
しかしながら、光ダクトは建築物に対して固定的に設置されている。このため、曇天時や朝方、夕方などに十分な量の採光が得られるように光ダクトを設計すると、晴天時の昼間などには直射日光が光ダクトに入射し、光ダクトを介して過多量の光が室内に導入されてしまい、室内にいる居住者が眩しさを感じるという問題がある。また、眩しさを感じないまでも、リラックスしたり、作業の効率を向上させるために、室内の光量を抑えたい場合もある。例えば、光ダクトを浴室に結合する場合、暗めの浴室でゆっくりしたい場合や、適度な明るさのもとで化粧をしたいときなどは、光ダクトから導入される光量を落としたいこともある。
【０００４】
そこで、特許文献１には、光ダクトの内部に可動反射板を設け、ハンドルなどによって、この可動反射板の角度を調節する技術が開示されている。また、特許文献２には、光ダクトの放光口にブラインドを設ける技術が開示されている。これにより、室内にいる居住者がブラインドからつり下がったロープを操作することによりブラインドを開閉し、放光口から室内に導入される光量を適宜調整することができる。更に、特許文献３には、光ダクトの採光口に２枚の平板プリズムを相互に回転可能に設け、コンピュータにより制御されたモータによって、平板プリズム間のひねり角を設定する技術が開示されている。特許文献３には、コンピュータに予め適当なプログラム及びデータを入力しておくことにより、各季節及び各時刻における太陽の位置に応じて適正な採光を行うことができると記載されている。また、特許文献３には、平板プリズム間のひねり角を所定の角度に設定することにより、入射光を全反射し、室内への導光を遮断することができると記載されている。
【０００５】
しかしながら、特許文献１及び２に記載された技術においては、光量を調節する際に、居住者がその都度自分でブラインド又は可動反射板を操作しなくてはならず、不便である。また、一般に、ブラインドからつり下がったロープや、可動反射板に連結されたハンドルが邪魔である。特に、光ダクトが部屋の天井の中央部に結合される場合は、ロープやハンドルが天井の中央から吊り下げられることになるため、目障りであると共に、居住者の身長が低い場合には、手が届かないこともある。
【０００６】
また、特許文献３に記載された技術においては、専用のコンピュータや２枚の微細形状加工されたプリズムなどが必要となり、構成が大がかりとなる。また、コンピュータに入力しておくプログラム及びデータも建築物の場所や方位に応じて専用化する必要がある。このため、設備コストが極めて高くなり、現実的ではない。
【０００７】
【特許文献１】実開昭６２−１２１７０６号公報
【特許文献２】実開昭５９−６１４０６号公報
【特許文献３】特開平８−１７２１９号公報
【発明の開示】
【発明が解決しようとする課題】
【０００８】
本発明の目的は、光ダクトが結合される光ダクト用放光装置であって、コストが低く、光量を自動的に調節することができる光ダクト用放光装置を提供することである。
【課題を解決するための手段】
【０００９】
本発明の一態様によれば、内面が光反射面とされ屋外から光を導入する光ダクトが結合される光ダクト用放光装置であって、前記光ダクトを通過した光の光路に介在し、動くことにより前記光ダクトを通過した全光量に対する遮断する光量の割合が変化する遮光体と、前記遮光体を動かす駆動手段と、を備えたことを特徴とする光ダクト用放光装置が提供される。
【発明の効果】
【００１０】
本発明によれば、光ダクトが結合され、コストが低く、光量を自動的に調節することができる光ダクト用放光装置を実現することができる。
【発明を実施するための最良の形態】
【００１１】
以下、図面を参照しつつ本発明の実施形態について説明する。  
以下で説明する各実施形態においては、光ダクト用放光装置が浴室ユニットの天井に取り付けられている例について説明する。  
先ず、本発明の第１の実施形態について説明する。  
図１は、第１の実施形態における浴室ユニットが設けられた建築物を例示する模式的断面図であり、  
図２は、本実施形態に係る光ダクト用放光装置を例示する断面図であり、  
図３は、この光ダクト用放光装置の遮光体を例示する平面図であり、  
図４は、この光ダクト用放光装置の操作パネルを例示する正面図である。
【００１２】
図１に示すように、本実施形態に係る浴室ユニット１は、建築物、例えば住宅１０１に設置されている。住宅１０１においては、導光設備としての光ダクト１０２が配設されている。光ダクト１０２の一方の端部は、例えば住宅１０１の屋根に設けられた採光部１０３に結合されており、他方の端部は、浴室ユニット１の天井４に結合されている。採光部１０３は、透明板からなるドームによって覆われており、砂や埃は通過させないが光は透過させる。光ダクト１０２の内部は中空であり、その内面は光反射面となっており、例えば、鏡面又は白色面となっている。このような光反射面は、例えば、アルミニウム若しくはステンレスなどの金属面、又はこれらの金属面の表面に酸化アルミニウム若しくは樹脂などの被覆層が積層された面により形成することができる。これにより、光ダクト１０２は、住宅１０１の外部から採光部１０３を介して導入された外光Ｌを、その内面において反射しつつ導光して、浴室ユニット１の内部に導入する。
【００１３】
浴室ユニット１においては、床の一方の側に浴槽２が設けられており、他方の側が洗い場３となっている。浴室ユニット１の天井４には放光口６となる開口部が形成されている。光ダクト１０２の下端部は略垂直方向に延びており、その下端は天井４の放光口６の周囲に連結されており、光ダクト１０２の下端面は放光口６において開口している。これにより、光ダクト１０２は放光口６を介して浴室ユニット１と光学的に結合されている。また、天井４における放光口６の下方には、ブラケット７が取り付けられている。
【００１４】
図２に示すように、ブラケット７は、光を拡散させながら透過させる透光材料、例えば乳白色の樹脂材料からなり、下方に凸になるように配置されたドーム状の部分を持つ部材である。ブラケット７においては、略半球状のドーム状部分７ａと、ドーム状部分７ａの外縁部から中心に向かって延出した円環板状部分７ｂと、円環板状部分７ｂの内縁部からドーム状部分７ａに対して離隔する方向に起立した円筒状部分７ｃと、が一体的に成形されている。
【００１５】
ドーム状部分７ａは、天井４から下方に突出している。また、円筒状部分７ｃの外面には、ネジ溝７ｄが形成されている。一方、放光口６の内面の下部には、ネジ溝７ｄに螺合するようなネジ溝６ｄが形成されている。更に、ブラケット７の上端部には、環状のパッキン８が設けられている。ブラケット７は、ネジ溝７ｄが放光口６のネジ溝６ｄに螺合することにより、パッキン８と共に天井４に固定される。更にまた、放光口６の上部の内面及びブラケット７の円筒状部分７ｃの内面は光反射面となっている。これにより、放光口６の内面及び円筒状部分７ｃの内面は、光ダクト１０２の内面と共に、略連続した光反射面を形成している。
【００１６】
そして、放光口６の内面における光反射面とされている領域の下端部には、支持手段として、例えば４本の梁１１が取り付けられている。４本の梁１１は、放光口６の内面における放光口６の中心軸から見て相互に例えば９０度離隔した位置から放光口６の中心に向かって水平に延び、放光口６の中心領域において円板状の反射板１２を支持している。
【００１７】
反射板１２の上面、すなわち、光ダクト１０２側の面には、光量を検知する光量センサ１３が取り付けられている。一方、反射板１２の下面には、ステッピングモータ１４が取り付けられている。ステッピングモータ１４は、本体部１４ａと、この本体部１４ａにより回転させられる軸１４ｂとからなり、本体部１４ａは反射板１２に対して固定されており、軸１４ｂは、本体部１４ａから略垂直方向下方に向かって延びている。
【００１８】
本体部１４ａの下方には、円筒形のスリーブ１５が設けられており、スリーブ１５の上端が本体部１４ａに対して固定的に連結されている。ステッピングモータ１４の軸１４ｂは、このスリーブ１５の内部に挿通されている。スリーブ１５は軸１４ｂから離隔しており、軸１４ｂが回転しても、スリーブ１５は回転しない。
【００１９】
また、スリーブ１５の下端には、スリット円板１６が取り付けられている。スリット円板１６の中心には孔１６ｂ（図３参照）が形成されており、スリーブ１５の下端はこの孔の周囲に固定的に連結されている。一方、軸１４ｂはスリーブ１５と共にスリット円板１６の孔１６ｂを挿通し、スリット円板１６の下方まで引き出されている。
【００２０】
更に、軸１４ｂの下端には、スリット円板１７が取り付けられている。すなわち、スリット円板１７はスリット円板１６の下方に配置されている。軸１４ｂはスリット円板１７の中心部に固定的に連結されている。そして、放光口６、軸１４ｂ、スリーブ１５、スリット円板１６及び１７の中心軸は相互に一致しており、垂直方向に延びている。従って、スリット円板１６及びスリット円板１７は相互に平行であり、水平である。また、ステッピングモータ１４の本体部１４ａが軸１４ｂを回転させると、スリット円板１７のみが回転し、スリーブ１５及びスリット円板１６は回転しない。上述の梁１１、反射板１２、光量センサ１３、ステッピングモータ１４、スリーブ１５、スリット円板１６及び１７は、全て放光口６の内部に配置されている。このうち、ステッピングモータ１４及びスリーブ１５は反射板１２の影になっているが、梁１１、反射板１２、光量センサ１３、スリット円板１６及び１７は、光ダクト１０２を通過した外光Ｌの光路に介在しており、外光Ｌの一部を遮断している。
【００２１】
図３に示すように、スリット円板１７には、例えば４個のスリット１７ａが、スリット円板１７の周方向に沿って断続的に形成されており、スリット円板１７の中心に関して４回対称の位置に配置されている。各スリット１７ａの形状は例えば二等辺三角形であり、その頂角がスリット円板１７の中心に向いており、頂角の二等分線がスリット円板１７の半径方向に延びている。
【００２２】
また、スリット円板１６の形状は、中心に孔１６ｂが形成されていることを除けば、スリット円板１７の形状と同一である。すなわち、例えば４個のスリット１６ａがスリット円板１６の周方向に沿って断続的に形成されており、さらに中心部に１個の孔１６ｂが形成されている。
【００２３】
従って、スリット円板１７が所定の角度にあるときは、スリット円板１７の中心軸方向から見て、スリット円板１７のスリット１７ａがスリット円板１６のスリット１６ａに重なる。また、スリット円板１７が他の所定の角度にあるときは、スリット円板１７の中心軸方向から見て、スリット１７ａがスリット１６ａから外れた位置に位置する。そして、スリット円板１７は、ステッピングモータ１４から力が印加されなければ、スリット１７ａがスリット１６ａに重なるような角度に保持される。
【００２４】
一方、図４に示すように、ステッピングモータ１４（図３参照）は、操作パネル２１に接続されている。操作パネル２１は、例えば、浴室ユニット１の外側の壁、例えば、脱衣所（図示せず）に面した壁に取り付けられている。操作パネル２１の前面には前面板２２が設けられており、前面板２２には、スライドスイッチ２３及び２４が、上下２段に設けられている。
【００２５】
一例では、上段のスライドスイッチ２３は切替スイッチである。スライドスイッチ２３においては、「切」、「入」及び「自動」が選択可能である。「切」は、ステッピングモータ１４の電源を手動で切って強制全開とする操作を表している。「入」は、ステッピングモータ１４の電源を手動で入れて強制全閉とする操作を表している。「自動」は、ステッピングモータ１４を光量センサ１３の検知結果に基づいて自動的に駆動させる操作を表している。
【００２６】
一方、下段のスライドスイッチ２４は光量スイッチである。使用者が、上段のスライドスイッチ２３を「自動」に合わせたときに、スライドスイッチ２４を操作することにより、ステッピングモータ１４が動作する閾値となる光量を設定することができる。
【００２７】
また、操作パネル２１には制御回路（図示せず）が設けられている。制御回路は、スライドスイッチ２３及び２４によって選択された状態を実現できるように、ステッピングモータ１４を制御する回路であり、ステッピングモータ１４及び光量センサ１３に接続されている。
【００２８】
本実施形態においては、スリット円板１６及び１７により遮光体が形成されている。また、ステッピングモータ１４、スリーブ１５、光量センサ１３及び操作パネル２１により、遮光体を動かす駆動手段が形成されている。更に、梁１１及び反射板１２により、遮光体を放光口の内部に保持する保持手段が形成されている。そして、遮光体、駆動手段及び保持手段により、本実施形態に係る光ダクト用放光装置が形成されている。
【００２９】
次に、上述の如く構成された本実施形態に係る光ダクト用放光装置の動作について説明する。  
図１に示すように、住宅１０１の外部から、太陽光が採光部１０３を介して光ダクト１０２の内部に導入される。この太陽光は、光ダクト１０２の内面によって繰り返し反射されながら光ダクト１０２内を伝導し、放光口６から出射し、ブラケット７を介して、浴室ユニット１の内部に導入される。
【００３０】
このとき、使用者が操作パネル２１のスライドスイッチ２３を「切」とすれば、制御回路がステッピングモータ１４を停止させる。これにより、スリット円板１７は、スリット１７ａがスリット１６ａに重なるような角度で保持される。この結果、スリット１６ａ及びスリット１７ａ内を光が通過するようになり、放光口６を通過する全光量に対するスリット円板１６及び１７が遮断する光量の割合（以下、「遮光率」という）が、その可変範囲における最小値となる。すなわち、光ダクト用放光装置は、多くの光を透過させる「開」状態となる。このように、本実施形態に係る光ダクト用放光装置は、スイッチが切られたときに「開」状態となるノーマリオープン型の装置である。
【００３１】
また、使用者が操作パネル２１のスライドスイッチ２３を「入」とすると、制御回路がステッピングモータ１４を駆動して、スリット円板１７を、スリット１７ａがスリット１６ａに重ならないような角度に回転させる。これにより、スリット１６ａ内及びスリット１７ａ内を光が通過しなくなり、遮光率が最大値となる。すなわち、遮光体は、多くの光を遮断する「閉」状態となる。
【００３２】
更に、使用者が操作パネル２１のスライドスイッチ２３を「自動」にすると、ステッピングモータ１４は光量センサ１３の検知結果に基づいて動作するようになる。このとき、使用者がスライドスイッチ２４を操作することにより、閾値を任意に設定することができる。すなわち、検知された光量が設定された閾値よりも大きいときに、ステッピングモータ１４がスリット円板１７の角度をスリット１７ａがスリット１６ａに重ならないような角度とし、遮光率を最大値として、装置を「閉」状態とする。また、検知された光量が閾値よりも小さいときは、スリット円板１７の角度がスリット１７ａがスリット１６ａに重なるような角度となり、遮光率が最小値となり、装置は「閉」状態となる。
【００３３】
次に、本実施形態の効果について説明する。  
上述の如く、本実施形態によれば、ステッピングモータ１４によりスリット円板１７の角度を調節することにより、スリット１７ａとスリット１６ａとの相対的な位置関係を選択して、遮光率を制御することができる。これにより、光ダクト１０２から浴室ユニット１内に導入される光量を調節することができる。本実施形態によれば、放光口６からロープ及びハンドルなどを吊り下げる必要がないため、これらが邪魔になることがなく、また、これらに手が届かないといった問題も発生しない。また、専用のコンピュータ、それに入力するプログラム及びデータ、並びに微細形状加工されたプリズムなども不要であるため、コストが低い。
【００３４】
また、本実施形態によれば、光量センサ１３の検知結果に基づいてステッピングモータ１４を制御することもできる。この場合は、光量の調整は使用者の操作を必要とせず、自動的に行うことができる。
【００３５】
なお、本実施形態においては、光量センサ１３により検知された光量が閾値から一定の範囲内にあるときに、スリット円板１７の角度を、スリット１７ａの一部がスリット１６ａの一部に重なるような角度としてもよい。これにより、遮光率を多段階又は連続的に調節することができ、きめ細かい調整が可能となる。
【００３６】
また、本実施形態においては、反射板１２の上面に太陽電池を設け、この太陽電池により、ステッピングモータ１４を駆動するための電力をまかなってもよい。これにより、外部から電源を引き込む必要がなく、配線工事が不要となる。この場合、上述の如く、本実施形態に係る光ダクト用放光装置はノーマリオープン型の装置であるため、朝方や夕方などの光量が少なく太陽電池がステッピングモータを動かすために十分な電力を供給できないときでも、遮光体は開状態となっており、外光を浴室ユニット１内の照明に有効に利用することができる。
【００３７】
次に、本発明の第２の実施形態について説明する。  
図５は、本実施形態に係る光ダクト用放光装置を例示する断面図であり、  
図６は、この光ダクト用放光装置の遮光体を例示する平面図である。  
図５及び図６に示すように、本実施形態に係る光ダクト用放光装置においては、反射板１２の下面に、ステッピングモータ３４が取り付けられている。ステッピングモータ３４は、本体部３４ａと、本体部３４ａから水平方向に延出した軸３４ｂとからなり、本体部３４ａが軸３４ｂを回転させる。軸３４ｂの先端にはプーリ３５が設けられており、プーリ３５が回転することにより、糸３６が巻き取られるか又は巻き解かれるようになっている。一方、本体部３４ａの下面には円筒状のスリーブ３７の上端が連結されており、スリーブ３７の下端には、傘状遮光体３８が取り付けられている。
【００３８】
傘状遮光体３８においては、複数本の骨材３９が仮想的な円錐の側面に沿って放射状に配列されており、この骨材３９には、遮光性及び柔軟性を有するシート４０が張られている。また、骨材３９の上端はスリーブ３７の下端に回動可能に連結されており、全ての骨材３９は、スリーブ３７の中心軸に対する角度が同一になるように連動する。これにより、傘状遮光体３８は傘のような動作が可能となっている。更に、シート４０には、接着剤４１により、糸３７の下端が連結されている。なお、傘状遮光体３８の中心軸は放光口６の中心軸と平行であり、例えば垂直方向に延びている。また、傘状遮光体３８は放光口６の内部に配置されている。
【００３９】
本実施形態における上記以外の構成は、前述の第１の実施形態と同様である。すなわち、放光口６には光ダクト１０２が連結されており、放光口６の下方にはブラケット７が設けられている。また、反射板１２は放光口６の内部に梁１１によって支持されている。更に、反射板１２上には光量センサ１３が設けられている。更にまた、ステッピングモータ１４は、操作パネル２１（図４参照）により制御される。なお、図示の便宜上、図５にはシート４０（図６参照）は示していない。
【００４０】
次に、本実施形態の動作について説明する。  
使用者が操作パネル２１のスライドスイッチ２３を「切」とすると、制御回路がステッピングモータ３４を停止させる。これにより、骨材３９及びシート４０の質量により、骨材３９の長手方向は垂直方向に近い方向となり、傘状遮光体３８は傘が閉じた状態となる。この結果、放光口６の中心軸方向から見たときの傘状遮光体３８の面積が最小となる。すなわち、遮光率はその可変範囲における最小値をとり、装置は「開」状態となる。
【００４１】
また、使用者が操作パネル２１のスライドスイッチ２３を「入」とすると、制御回路がステッピングモータ３４を駆動して、軸３４ｂを回転させ、プーリ３５を回転させる。これにより、糸３６がプーリ３５に巻き取られ、骨材３９の長手方向は水平方向に近い方向となり、傘状遮光体３８は傘が開いた状態となる。この結果、放光口６の中心軸方向から見たときの傘状遮光体３８の面積が最大となる。すなわち、遮光率はその可変範囲における最大値をとり、装置は「閉」状態となる。
【００４２】
更に、使用者が操作パネル２１のスライドスイッチ２３を「自動」にすると、ステッピングモータ３４は光量センサ１３の検知結果に基づいて動作するようになる。このとき、使用者がスライドスイッチ２４を操作することにより、閾値を任意に設定することができる。これにより、検知された光量が設定された閾値よりも大きいときに、ステッピングモータ３４が駆動して傘状遮光体３８を傘が開いた状態とし、遮光率を高くする。一方、検知された光量が閾値よりも小さいときは、傘状遮光体３８を傘が閉じた状態とし、遮光率を低くする。
【００４３】
本実施形態によれば、傘状遮光体３８の大きさを、傘が開いた状態のときに、放光口６の内径とほぼ一致するような大きさとし、シート４０に十分に柔軟且つ薄い材料を使用し、骨材３９の長手方向がほぼ垂直方向まで回動できるようにしておけば、外光Ｌをほぼ全量透過から全量遮断まで調整することが可能となる。本実施形態における上記以外の動作及び効果は、前述の第１の実施形態と同様である。
【００４４】
なお、本実施形態においても、前述の第１の実施形態と同様に、光量センサ１３により検知された光量が閾値から一定の範囲内にあるときは、傘状遮光体３８を傘が開いた状態と傘が閉じた状態との中間状態としてもよい。これにより、遮光率を中間値とすることができ、光量のより精密な制御が可能となる。また、反射板１２上に太陽電池を設け、この太陽電池の起電力により、ステッピングモータ３４を駆動させてもよい。これにより、外部から電源を引き込む必要がなく、配線工事が不要となる。この場合、第１の実施形態と同様に、本実施形態に係る光ダクト用放光装置もノーマリオープン型の装置であるため、光量が少なくステッピングモータが起動しないときには、装置は開状態となり、外光を浴室ユニット１内の照明に有効に利用することができる。
【００４５】
以上、実施形態を参照しつつ、本発明の特徴を説明した。しかし、本発明は、これらの実施形態に限定されるものではなく、例えば、前述の各実施形態に係る光ダクト用放光装置を構成するいずれかの要素について、当業者が適宜追加、省略又は設計変更を加えたものであっても、本発明の要旨を備えたものであれば、本発明の範囲に包含される。例えば、遮光体を保持する保持手段として、反射板１２の替わりに、光を反射せずに吸収する吸収板を設けてもよく、光を透過させる透光板を設けてもよい。また、前述の各実施形態においては、光ダクト用放光装置が浴室ユニットに取り付けられる例を示したが、本発明はこれに限定されず、光ダクト用放光装置は、浴室ユニット以外の屋内空間、例えば、住宅の居間、廊下、オフィスビルの居室、商業用ビルの地下室などに取り付けられてもよく、高速道路のトンネルなどに取り付けられていてもよい。
【図面の簡単な説明】
【００４６】
【図１】本発明の第１の実施形態における浴室ユニットが設けられた建築物を例示する模式的断面図である。
【図２】第１の実施形態に係る光ダクト用放光装置を例示する断面図である。
【図３】第１の実施形態に係る光ダクト用放光装置の遮光体を例示する平面図である。
【図４】第１の実施形態に係る光ダクト用放光装置の操作パネルを例示する正面図である。
【図５】本発明の第２の実施形態に係る光ダクト用放光装置を例示する断面図である。
【図６】第２の実施形態に係る光ダクト用放光装置の遮光体を例示する平面図である。
【符号の説明】
【００４７】
１  浴室ユニット、２  浴槽、３  洗い場、４  天井、６  放光口、６ｄ  ネジ溝、７  ブラケット、７ａ  ドーム状部分、７ｂ  円環板状部分、７ｃ  円筒状部分、７ｄ  ネジ溝、８  パッキン、１１  梁、１２  反射板、１３  光量センサ、１４  ステッピングモータ、１４ａ  本体部、１４ｂ  軸、１５  スリーブ、１６、１７  スリット円板、１６ａ、１７ａ  スリット、１６ｂ  孔、２１  操作パネル、２２  前面板、２３、２４  スライドスイッチ、３４  ステッピングモータ、３４ａ  本体部、３４ｂ  軸、３５  プーリ、３６  糸、３７  スリーブ、３８  傘状遮光体、３９  骨材、４０  シート、４１  接着剤、１０１  住宅、１０２  光ダクト、１０３  採光部、Ｌ  外光
【図１】
2008084751.tif 000003
【図２】
2008084751.tif 000004
【図３】
2008084751.tif 000005
【図４】
2008084751.tif 000006
【図５】
2008084751.tif 000007
【図６】
2008084751.tif 000008